(57)【要約】【課題】流路からの液漏れを防止できる固液界面反応微小反応装置を提供することにある。【解決手段】基盤チップ１０には、反応溶液の流入口及び流出口が形成されている。ガスケット２０は、弾性を有し、基盤チップ１０に比べて薄く、中央にスリット２２を有する。基盤チップ１０と、ガスケット２０と、固体の試験片３０とを積層し、外圧を掛けることにより３者を密着させ、ガスケットのスリット２２とこのスリットの開口部に接する試験片３０の固相により反応流路ＲＰを形成する。【選択図】  図１
2005000770.tif 000002
【特許請求の範囲】
【請求項１】
反応溶液の流入口及び流出口が形成された基盤と、
弾性を有し、前記基盤に比べて薄く、中央にスリットを有するガスケットとを備え、
前記基盤と、前記ガスケットと、前記反応溶液の液相と界面反応を起こす固相が表面に形成された固体の試験片とを積層し、外圧を掛けることにより前記基盤とガスケットと試験片を密着させ、前記ガスケットのスリットとこのスリットの開口部に接する前記固相により反応流路を形成し、
前記流入口から反応液を流入し、反応流路を経た反応溶液を前記流出口から流出させることを特徴とする固液界面反応微小反応装置。
【請求項２】
請求項１記載の固液界面反応微小反応装置において、
前記基盤は、前記ガスケットと同等以上の硬さを有することを特徴とする固液界面反応微小反応装置。
【発明の詳細な説明】
【０００１】
【発明の属する技術分野】
本発明は、固相と液相との界面における界面反応を測定するに好適な固液界面反応微小反応装置に関する。
【０００２】
【従来の技術】
近年、生化学分野において、無細胞系蛋白質の合成反応や遺伝子の増幅反応等を評価する装置として、サンプルの微量化、反応や分析の高速化等といった様々な有効性を有するいわゆるマイクロリアクタを用いたものが開発されている。マイクロリアクタは、例えば、特開平１０−３３７１７３号公報に記載されているように、基板に微小な液相の流路（数十〜数百μｍの幅の流路）を形成し、この流路に接続した２つの流入口から、評価対象となる二種類の液体を送り込み、流路にて二液を合成するものである。
【０００３】
かかる構成により、マイクロリアクタは、微細な流路に測定対象となる液体を送り込むため、液体の体積に対する液−液界面の面積が大きくなり、液体中の分子移動速度が高速化し、二液を効率的に反応させることができる。また、マイクロリアクタの流路は、容積が微量であるため、サンプルの量も少量で足り、かつ不純物の混入も抑制される。
【０００４】
【特許文献１】
特開平１０−３３７１７３号公報
【０００５】
【発明が解決しようとする課題】
上述のマイクロリアクタは、液相と液相の反応に用いられるものであるが、例えば放射性物質の処理等において、液体に含まれる放射性物質に対する固体の吸着性能を測定する場合のように、固体と液体との界面で起こる現象を正確に評価する手段が必要となる。
【０００６】
そこで、本発明者らは、先に、次のような固液界面反応微小反応装置を提案している。すなわち、この装置では、液相との界面にて界面反応を起こす固相の固体試料と表面に溝が形成された基板とを重ね合わせ、この溝及び固体試料によって形成される薄層の流路に界面反応を起こす液相を流通するようにしている。このように、実際の環境を再現して起こした固液界面反応を測定することにより、実際の環境で生じる様々な固液界面反応を精度良く測定することができるものである。
【０００７】
しかしながら、試験片である固体試料の表面をやすり等により平坦にしたとしても、表面の凹凸が残るため、固体試料と溝の形成された基板を重ね合わせて流路を形成し、この流路に液体を流通したとき、両者の接触面から液体が漏洩しやすいという問題があることが判明した。特に、液体に含まれる放射性物質に対する固体の吸着性能を測定する場合では、液漏れが生じるということは、放射性物質の洩れとなり、問題が生じてくる。
【０００８】
本発明の目的は、流路からの液漏れを防止できる固液界面反応微小反応装置を提供することにある。
【０００９】
【課題を解決するための手段】
（１）上記目的を達成するために、本発明は、反応溶液の流入口及び流出口が形成された基盤と、弾性を有し、前記基盤に比べて薄く、中央にスリットを有するガスケットとを備え、前記基盤と、前記ガスケットと、前記反応溶液の液相と界面反応を起こす固相が表面に形成された固体の試験片とを積層し、外圧を掛けることにより前記基盤とガスケットと試験片を密着させ、前記ガスケットのスリットとこのスリットの開口部に接する前記固相により反応流路を形成し、前記流入口から反応液を流入し、反応流路を経た反応溶液を前記流出口から流出させるようにしたものである。
かかる構成により、反応流路からの液漏れを防止し得るものとなる。
【００１０】
（２）上記（１）において、好ましくは、前記基盤は、前記ガスケットと同等以上の硬さを有するようにしたものである。
【００１１】
【発明の実施の形態】
以下、図１〜図３を用いて、本発明の一実施形態による固液界面反応微小反応装置の構成について説明する。
最初に、図１を用いて、本実施形態による固液界面反応微小反応装置に用いる反応容器の構成について説明する。
図１は、本発明の一実施形態による固液界面反応微小反応装置に用いる反応容器の構成を示す分解斜視図である。
【００１２】
本実施形態による固液界面反応微小反応装置に用いる反応容器は、基盤チップ１０と、ガスケット２０と、試験片３０とから構成されている。基盤チップ１０は、ポリテトラフルオロエチレン（ＰＴＦＥ）からなり、その大きさは、例えば、縦４０ｍｍ、横２５ｍｍ、厚さ１０ｍｍである。基盤チップ１０には、流体の流入口１２と、流体の流出口１４が厚さ方向に貫通する穴として形成されている。流入口１２および流出口１４の直径は、例えば、１．２ｍｍφである。
【００１３】
ガスケット２０は、弾性を有する材料からなり、例えば、基盤チップ１０と同じく、ポリテトラフルオロエチレン（ＰＴＦＥ）からなる。その大きさは、例えば、縦４０ｍｍ、横２５ｍｍ、厚さ１６０μｍである。ガスケット２０の中央部には、反応流路の一部となるスリット２２が形成されている。スリット２２の大きさは、例えば、縦２０ｍｍ、横２ｍｍ、厚さ１６０μｍである。
【００１４】
試験片３０は、固体試料であり、その大きさは、例えば、縦４０ｍｍ、横２５ｍｍ、厚さ１０ｍｍである。試験片３０は、例えば、図２を用いて後述するＳｒＣｌ２溶液中のＳｒ２＋イオンの花崗岩に対する吸着・脱離反応を計測する試験装置に用いる場合、花崗岩からなる。試験片３０の表面の内、ガスケット２０と接する面は、例えば、♯２０００のヤスリ等により平坦になるように研磨されている。しかしながら、ヤスリ等により研磨したとしても、その表面には凹凸が残存している。
【００１５】
基盤チップ１０と、ガスケット２０と、試験片３０との３体を重ね合わせて外力を加えることにより、ガスケット２０は弾性変形して、試験片３０の表面の凹凸に倣い、試験片３０と密着する。そして、ガスケット２０のスリット２２と、基盤チップ１０の表面の一部と、試験片３０の表面の一部が、固液界面反応微小反応装置に用いる反応容器の流路を形成する。以上のようにして、固相である試験片（花崗岩）３０の一部が液体の薄い流路壁の一部を構成する。
【００１６】
次に、図２を用いて、本実施形態による固液界面反応微小反応装置の構成について説明する。
図２は、本発明の一実施形態による固液界面反応微小反応装置の構成を示す斜視図である。なお、図１と同一符号は、同一部分を示している。
【００１７】
本実施形態による固液界面反応微小反応装置は、試験片と溶液の接触により試験片に含有されている物質の一部と溶液に溶解している物質との反応を測定するための装置（マイクロリアクタチップ）である。図示の例では、この装置は、試験片である花崗岩と、ＳｒＣｌ２溶液中のＳｒ２＋イオンの吸着・脱離反応を計測する試験装置である。
【００１８】
反応容器ＲＶは、図１にて説明したように、基盤チップ１０と、ガスケット２０と、試験片３０とを重ね合わせて外力を掛けることにより互いに密着して構成されている。基盤チップ１０の流入口１２には、液供給ポンプ４０が接続されている。基盤チップ１０の流出口１４には、分割サンプリング器５０が接続されている。
【００１９】
液供給ポンプ４０により送液されたＳｒＣｌ２溶液は、流体の流入口１２を通り流路兼反応槽ＲＰに供給される。流路兼反応槽ＲＰは、上述したように、ガスケット２０のスリット２２と、基盤チップ１０の表面の一部と、試験片３０の表面の一部とによって形成されいる。ここで、ＳｒＣｌ２溶液はマイクロリアクタ内に構成された薄い流路を流れながら、試験片３０である花崗岩と吸着・脱離反応を繰り返して、流体の流出口１４より排出される。排出された液は、分割サンプリング器５０により経時的にサンプリングする。サンプリングされた液中の８５Ｓｒの濃度変化を計測することにより、花崗岩とＳｒの破過曲線が得られる。
【００２０】
なお、以上の説明では、反応流路の深さ（即ち、ガスケット２０の厚さ）は、１６０μｍとしているが、この深さは、試験対象の性質（例えば、実効拡散係数や、花崗岩に対するＳｒ２＋イオンの吸着・脱離反応の反応速度）と、着目する固体―液体反応（花崗岩とＳｒ）に応じて選定されるものである。流路の深さは、例えば、５０〜２００μｍ程度である。また、流路の長さは、例えば、２０〜６０ｍｍ程度である。
【００２１】
試験片３０としては、花崗岩を例示したが、その他に、例えば、固化したセメント，砂岩，粘板岩等も用いることができる。
【００２２】
反応溶液としては、ＳｒＣｌ２溶液の他に、ＮｉＣｌ２やＣｓＣｌ等も用いることができる。
【００２３】
ガスケット２０の材料としては、弾性を有する材料として、ポリテトラフルオロエチレン（ＰＴＦＥ）（ヤング率：４０８ＭＰａ）の他に、テトラフルオロエチレン−ヘキサフルオロプロピレン共重合体（ＦＥＰ）（ヤング率：３５７ＭＰａ），テトラフルオロエチレン−エチレン共重合体（ＥＴＦＥ）（ヤング率：８５７ＭＰａ），ポリクロロトリフルオロエチレン（ＰＣＴＦＥ）（ヤング率：１０７１〜２１４１ＭＰａ），クロロトリフルオロエチレン−エチレン共重合体（ＥＣＴＦＥ）（ヤング率：１７１４ＭＰａ），ポリビニリデンフルオライド（ＰＶＤＦ）（ヤング率：８５７ＭＰａ），ポリビニルフルオライド（ＰＶＦ），テトラフルオロエチレンパーフルオロアルキルビニルエーテル共重合体（ＰＦＡ）などのフッ素系樹脂や、クレゾール，アルキルフェノールなどのフェノール系樹脂（ヤング率：２０７００〜２２７００ＭＰａ）や、メラミン樹脂，尿素樹脂などのアミノ系樹脂（ヤング率：６８６０〜１３７００ＭＰａ）や、アルキド樹脂（ヤング率：１３７８０〜１７２３０ＭＰａ）や、ポリエステル樹脂（ヤング率：１０３４０〜１７２３０ＭＰａ）や、スチレン系樹脂（ヤング率：２２７０〜２７６０ＭＰａ）や、ポリカーボネード樹脂（ヤング率：２１４０〜２３８０ＭＰａ）や、ポリエーテル樹脂（ヤング率：２５７０ＭＰａ）を用いることができる。また、フラン樹脂、エポキシ樹脂、ポリオレフィン樹脂、アクリル系樹脂、塩化ビニル樹脂、ポリ酢酸ビニル樹脂、、シリコーン樹脂、セルロース樹脂、ウレタン樹脂、キシレン樹脂、耐熱性樹脂などの合成樹脂や、フッ素ゴム、シリコーンゴムなどのゴムなども用いることができる。
【００２４】
試験片３０が砂岩や粘板岩のように脆い材料の場合、反応容器を形成するために掛けられる外圧は大きくできないため、試験片の表面の凹凸が大きい場合には、ガスケット２０の材料としては、上記の材料の中でも、柔らかい（ヤング率の大きい）材料を選択する必要がある。
【００２５】
さらに、ガスケット２０の材料としては、反応溶液中の放射線核種との吸着性がないものが選ばれる。反応溶液がＳｒＣｌ２の場合には、ポリテトラフルオロエチレン（ＰＴＦＥ）や他の適当な材料が用いられる。
【００２６】
基盤チップ１０の材料としては、ガスケット２０と同等以下のヤング率を有する材料（ガスケット２０と同じ硬さか、より硬い材料）が選ばれる。これは、基盤チップ１０とガスケット２０と試験片３０の積層体に外力を掛けた場合に、ガスケット２０が変形して、試験片３０の表面に密着させるためである。具体的には、ポリテトラフルオロエチレン（ＰＴＦＥ），テトラフルオロエチレン−ヘキサフルオロプロピレン共重合体（ＦＥＰ），テトラフルオロエチレン−エチレン共重合体（ＥＴＦＥ），ポリクロロトリフルオロエチレン（ＰＣＴＦＥ），クロロトリフルオロエチレン−エチレン共重合体（ＥＣＴＦＥ），ポリビニリデンフルオライド（ＰＶＤＦ），ポリビニルフルオライド（ＰＶＦ），テトラフルオロエチレンパーフルオロアルキルビニルエーテル共重合体（ＰＦＡ）などのフッ素系樹脂や、クレゾール，アルキルフェノールなどのフェノール系樹脂や、メラミン樹脂，尿素樹脂などのアミノ系樹脂や、アルキド樹脂や、ポリエステル樹脂や、スチレン系樹脂や、ポリカーボネード樹脂や、ポリエーテル樹脂を用いることができる。また、フラン樹脂、エポキシ樹脂、ポリオレフィン樹脂、アクリル系樹脂、塩化ビニル樹脂、ポリ酢酸ビニル樹脂、、シリコーン樹脂、セルロース樹脂、ウレタン樹脂、キシレン樹脂、耐熱性樹脂などの合成樹脂や、フッ素ゴム、シリコーンゴムなどのゴムなども用いることができる。
【００２７】
次に、図３及び図４を用いて、本実施形態による固液界面反応微小反応装置に用いる反応容器の固定装置について説明する。
図３は、本発明の一実施形態による固液界面反応微小反応装置に用いる反応容器の固定装置の構成を示す正面図である。図４は、本発明の一実施形態による固液界面反応微小反応装置に用いる反応容器の固定装置の構成を示す側面図である。なお、図１と同一符号は、同一部分を示している。
【００２８】
クランプ支持台６０の上に、基盤チップ１０と、ガスケット２０と、試験片３０とを積層した状態でセットする。さらに、試験片３０の上に金属プレート７０を載置する。その状態で、ネジ６５を締めることにより、金属プレート７０が加圧され、基盤チップ１０とガスケット２０と試験片３０とを積層体も加圧される。この加圧により、弾性体であるガスケット２０が変形して、試験片３０の表面の凹凸に拘わらず、試験片３０とガスケット２０が密着して、液漏れを防止できる。
【００２９】
試験片３０は、ガスケット２０と接触する面と、その反対側の面（金属プレート７０と接触する面）の平行度を確保しておくことにより、均一加圧が可能である。
【００３０】
また、反応容器の流路は、ガスケット２０のスリットと試験片３０が接触した部分に形成される。したがって、試験片３０とガスケット２０の位置関係はおおよそ位置決めするだけで、反応容器の流路を形成できるため、位置決めが容易に行えるものである。
【００３１】
次に、図５及び図６を用いて、本実施形態による固液界面反応微小反応装置に用いる反応容器の他の固定装置について説明する。
図５は、本発明の一実施形態による固液界面反応微小反応装置に用いる反応容器の他の固定装置の構成を示す正面図である。図６は、本発明の一実施形態による固液界面反応微小反応装置に用いる反応容器の他の固定装置の構成を示す側面図である。なお、図３及び図４と同一符号は、同一部分を示している。
【００３２】
本例では、ネジ式のクランプ台でなく、油圧式のクランプ台を用いている。油圧式のクランプ台は、クランプ支持台６０Ａと、伸縮可能なシリンダ６０Ｂと、クランパ６０Ｃと、クランパ６０Ｃと一体のクランプ部６０Ｄから構成されている。
【００３３】
クランプ支持台６０Ａの上に、基盤チップ１０と、ガスケット２０と、試験片３０とを積層した状態でセットする。さらに、試験片３０の上に金属プレート７０を載置する。その状態で、油圧クランプを動作させることにより、シリンダ６０Ｂが縮んで、クランプ部６０Ｄによって、金属プレート７０が加圧され、基盤チップ１０とガスケット２０と試験片３０とを積層体も加圧される。この加圧により、弾性体であるガスケット２０が変形して、試験片３０の表面の凹凸に拘わらず、試験片３０とガスケット２０が密着して、液漏れを防止できる。
【００３４】
以上説明したように、本実施形態によれば、弾性を有し、反応流路の一部を形成するスリットが形成されたガスケットを用いることにより、反応流路の密閉性が向上する。
【００３５】
【発明の効果】
本発明によれば、固液界面反応微小反応装置における流路からの液漏れを防止できる。
【図面の簡単な説明】
【図１】本発明の一実施形態による固液界面反応微小反応装置に用いる反応容器の構成を示す分解斜視図である。
【図２】本発明の一実施形態による固液界面反応微小反応装置の構成を示す斜視図である。
【図３】本発明の一実施形態による固液界面反応微小反応装置に用いる反応容器の固定装置の構成を示す正面図である。
【図４】本発明の一実施形態による固液界面反応微小反応装置に用いる反応容器の固定装置の構成を示す側面図である。
【図５】本発明の一実施形態による固液界面反応微小反応装置に用いる反応容器の他の固定装置の構成を示す正面図である。
【図６】本発明の一実施形態による固液界面反応微小反応装置に用いる反応容器の他の固定装置の構成を示す側面図である。
【符号の説明】
１０…基盤チップ
１２…流入口
１４…流出口
２０…ガスケット
２２…スリット
３０…試験片
４０…液供給ポンプ
５０…分割サンプリング器
ＲＰ…流路
ＲＶ…反応容器
【図１】
2005000770.tif 000003
【図２】
2005000770.tif 000004
【図３】
2005000770.tif 000005
【図４】
2005000770.tif 000006
【図５】
2005000770.tif 000007
【図６】
2005000770.tif 000008